(57)【特許請求の範囲】
【請求項１】
扉内面に装着されたサムターン座と、このサムターン座を貫通するようにして、これに回動可能に支承されたダルマ操作軸と、上記サムターン座の室内側に突出した内端部に被嵌されるカップ状の化粧カバーと、摘みを化粧カバー外に突出させた状態で化粧カバーに回動自在に支承され、ストッパーを介して上記ダルマ操作軸に着脱可能に連結される着脱部とを有するサムターンにおいて、化粧カバーには、その内側に突出し、円周方向に長い係合突部と、この係合突部の角度位置において開口端縁に開口する切欠とを連設し、一方、化粧カバーが被嵌されたとき上記係合突部と整合するサムターン座の室内側端部に自由端が扉内面に向かうばね片を設け、このばね片に化粧カバーの係合突部と係合する係止爪を形成すると共に、ばね片の先端を内側から切欠に臨ませ、化粧カバーをサムターン座から取り外すとき、上記化粧カバーの切欠に臨むばね片の先端をマイナスドライバー等の先で押すことにより、上記係合突部と係止爪との係合を解くことができるようにし、以て、化粧カバーをサムターン座から取り外すことができるようにしたことを特徴とするサムターンの構造。
【発明の詳細な説明】
【技術分野】
【０００１】
この発明は、サムターンの構造（以下単にサムターンという）に係り、特に、サムターンの内端部に被嵌される化粧カバーを確実に装着できると共に、取り外しを容易にしたサムターンに関する。
【背景技術】
【０００２】
本出願人は、先に、後記特許文献１を以て、新規な防犯型サムターンを提案した。
【特許文献１】特願２００４−３６２６６６
【特許文献２】特願２００４−１８４９６２
【発明の開示】
【発明が解決しようとする課題】
【０００３】
上記した構成の防犯型サムターンは、要すれば、サムターンに着脱可能に装着されたサムターン摘みを有し、このサムターン摘みをサムターンから取り外した後の連結孔にドライバー等の工具を差し入れての不正解錠を防止しようとするものである。
【０００４】
しかして、特許文献１に記載された発明による防犯型サムターンにおいて、その図１及び図２に示すように、サムターンを覆うように装着されるカップ状の化粧部材２２をその内側のカバー２に固定するにあたり、その開口端縁内側に形成された爪をその弾性変形を利用してカバー２の開口端縁に引っ掛けるようにして固定している。
【０００５】
この発明は、サムターンにおける化粧部材のサムターンに対する装着機構を改良し、サムターンに対する化粧部材の着脱を容易にすると共に、何回でも着脱できるようにしたサムターンを提供することを目的としている。
【課題を解決するための手段】
【０００６】
上記の目的を達成するため、請求項１に記載の発明は、扉内面に装着されたサムターン座と、このサムターン座を貫通するようにして、これに回動可能に支承されたダルマ操作軸と、上記サムターン座の室内側に突出した内端部に被嵌されるカップ状の化粧カバーと、摘みを化粧カバー外に突出させた状態で化粧カバーに回動自在に支承され、ストッパーを介して上記ダルマ操作軸に着脱可能に連結される着脱部とを有するサムターンにおいて、化粧カバーには、その内側に突出し、円周方向に長い係合突部と、この係合突部の角度位置において開口端縁に開口する切欠とを連設し、一方、化粧カバーが被嵌されたとき上記係合突部と整合するサムターン座の室内側端部に自由端が扉内面に向かうばね片を設け、このばね片に化粧カバーの係合突部と係合する係止爪を形成すると共に、ばね片の先端を内側から切欠に臨ませ、化粧カバーをサムターン座から取り外すとき、上記化粧カバーの切欠に臨むばね片の先端をマイナスドライバー等の先で押すことにより、上記係合突部と係止爪との係合を解くことができるようにし、以て、化粧カバーをサムターン座から取り外すことができるようにしたことを特徴とする。
【発明の効果】
【０００７】
上記のように構成された請求項１に記載の発明によるサムターンは、扉内面に固定されたサムターンに対し、係合突部とサムターンのばね片との角度位置を合わせて化粧カバーを被せるだけで化粧カバーの装着ができる。
【０００８】
また、化粧カバーの切欠を通してドライバー等の工具の先端でばね片の先端を内側に押すだけでばね片と化粧カバーとの係合が解けるから、その侭化粧カバーをサムターンから引き離せば化粧カバーを容易に外すことができる、等種々の効果を奏する。
【発明を実施するための最良の形態】
【０００９】
サムターンの室内側に突出した内端部に被嵌されるカップ状の化粧カバーを設け、この化粧カバーの開口端縁部の少なくとも１ヵ所の母線に沿って、内側に突出する係合突部と開口端縁に開口する切欠とを連設し、一方、化粧カバーが被嵌されたとき上記係合突部と整合するサムターンの内端部にばね片を設け、その先端部に化粧カバーの係合突部と係合する係止爪を形成すると共に、ばね片の先端を内側から切欠に臨ませる、という簡単な構成で、サムターンに対する化粧カバーの着脱を極めて容易にすることができた。
【実施例１】
【００１０】
以下、この発明の実施例を図面を参照して説明する。
図１乃至図４において符号１はサムターンを示し、このサムターン１は、カップ状の化粧カバー２（図１及び図２参照）を被せた状態で、取付ねじ３、３（図１参照）により扉４の内面に装着される。
【００１１】
なお、この取付ねじ３は、サムターン１に開口した中央部に筒部を形成した押え板１０、ねじ孔５（図３参照）、扉４及び錠箱６を挿通し、通常、その先端を図示しないシリンダ筒に螺合させ、シリンダ筒を扉外面に呼び付けるように固定する。
【００１２】
このサムターン１の中央に開口した支持孔７（図３及び図４参照）には段付のダルマ操作軸８（図１及び図２参照）が回動可能に支承され、Ｅ−リング等の止め輪９によって抜け止めが施されている。
【００１３】
このダルマ操作軸８の断面が例えば十字形の先端（図１、２で右端）は、錠箱６の側板の開口を挿通して、通常ダルマと称されるデッドボルト操作部材と係合しており、このダルマ操作軸８の回動により扉の施解錠が行われることは通常のサムターンと同様である。
【００１４】
一方、このダルマ操作軸８に選択的に連結される着脱部１１は図５に示すように構成されている。
【００１５】
すなわち、着脱部１１は、図５に示すように、例えば合成樹脂製の摘み１２と、この摘み１２に基端を埋設することにより一体的に結合され、装着時、ダルマ操作軸と同軸となる連結軸１３とを有している。
【００１６】
この連結軸１３の先端部（図５で右端部）の外周面には、その母線に沿って、計４条の突条１４、１４が形成されている。
【００１７】
図示の実施例では、これらの突条１４、１４は相互に９０度の角度間隔を保って形成されており、また、図１及び図２に示すように、一つおきに半径方向の高さに差が設けられている。
【００１８】
これに対応して、図６に示すように、前記ダルマ操作軸８の室内側の内端面に連結軸１３の先端部の横断面形状と同じ略十字形で有底の連結孔１５とが形成されている。
【００１９】
すなわち、連結軸の先端部をダルマ操作軸の連結孔１５に差し入れて嵌合させることにより、連結軸１３とダルマ操作軸８とを回り止めを施した状態で連結することができる。
【００２０】
なお、上記のように連結軸の突条１４、１４に一つおきに高低差を設けた理由は、摘み１２とダルマ操作軸８との相対関係角度を一定にし、通常のサムターンがそうであるように、摘みが水平になっているとき（図１５参照）は施錠と定め、室内から摘みを見るだけで施解錠状態を判断できるようにするためである。
【００２１】
一方、図１及び図２に示すように、連結軸１３の中央部と干渉する位置に、ストッパー１６が配設されている。
【００２２】
このストッパー１６は、図２及び図７に示すように、全体の形状が略逆凸字形の厚板材で、その図７における上端部には左右一対のばね片１７、１７が一体に形成されており、また、その上端部中央には、略十字形で、連結軸の先端部が遊嵌できる係止孔１８が開口している。
【００２３】
そして、このストッパー１６は、サムターン１に形成されたストッパ凹部１９（図３及び図４参照）に填め込まれた状態で、図３で所定量上下方向に、また、図２で扉面と平行な平面内で摺動可能に保持案内されている。
【００２４】
更にまた、上記ストッパ凹部１９の天井面に弾接された上記ばね片１７、１７の弾力により、下方に付勢されている。
【００２５】
なお、外力が作用しない状態におけるストッパー１６の待機位置は、その段部とストッパ凹部１９の開口端縁との接合によって一義的に定まる。
【００２６】
そして、そのストッパー１６の待機位置においては、図６に示すように、係止孔１８の横長の開口の上端縁２７（図７参照）が前記ダルマ操作軸の連結孔１５の中心を通る水平面と合致するように設定されている。
【００２７】
そのため、ストッパー１６が待機位置にあるときには、連結軸１３が施錠角度位置にあるときにも、また解錠角度位置にあるときにも、高低何れかの突条１４、１４が上記上端縁２１と係合し、このようにして着脱部１１の抜け止めが施される。
【００２８】
但し、ストッパー１６の下端部は前記サムターン１及びカップ状の化粧カバー２を貫通して下方に突出しており、着脱部１１を取り外す際、このストッパー１６の下端部を付勢力に抗して上方に押上げれば、ストッパーと突条１６との係合が解けるので、装着した着脱部１１を抜き外すことができる。
【００２９】
なお、各突条１４の先端部には付番しない傾斜部が形成されており、この傾斜部と上記係止孔の上端縁２１との間に生じる楔作用により、連結軸１３をダルマ操作軸８に嵌め込む際自動的にストッパーが少し上昇し、やがて下降して自動的に抜け止めが行われる。
【００３０】
次に、この発明の特徴的な構成の説明に入って、前記したように、また、図１及び図２に示すように、サムターン１の室内側に突出した内端部にカップ状の化粧カバー２が被嵌されている。
【００３１】
この化粧カバー２は、例えば薄いステンレス板を塑性加工によりカップ状に絞って成形したもので、図８乃至図１１に示すように、その開口端縁の１ヵ所を深く切り欠くようにして、上記ストッパー１６との干渉を避けるための逃げ切欠２１（図１１参照）が形成されている。
【００３２】
また、上記逃げ切欠２１とは９０度の角度間隔を保つ化粧カバー２の２ヵ所の開口端縁部に、夫々その母線に沿って、内側に突出し、円周方向に長い係合突部２２と、その角度位置において開口端縁に開口する切欠２３（図９参照）とが連設されている。
【００３３】
一方、上記した化粧カバー２側の構成に対応して、図１２乃至図１４に示すように、化粧カバーが被嵌されたとき上記係合突部２２と整合するサムターンの内端部にばね片２４が設けられている。
【００３４】
そして、このばね片２４の先端部に化粧カバーの係合突部と係合する係止爪２５（図１４参照）が外向きに突出するように形成されている。
【００３５】
なお、このばね片２４は、サムターン１の室内側の内端面を基端にして自由端が半径方向に弾性変形するように形成されており、また、上記係止爪２５の内側には傾斜面２６（図１４参照）が形成されている。
【００３６】
上記のように構成されたこの発明の一実施例によるサムターンは、ストッパー１６（図２参照）と化粧カバー２の逃げ切欠２１（図１１参照）の角度位置を合わせて化粧カバー２をサムターン１の内端部に被せる。
【００３７】
すると、化粧カバーの切欠２３の端縁が係止爪の傾斜面２６に当接するので、更に化粧カバーを扉４側に押すと、切欠２３と傾斜面２６との間に生じる楔作用により、ばね片２４が内側に弾性変形する。
【００３８】
そこで更に化粧カバーを扉側に押すと、図１に示すように、化粧カバーの係止突部２２と係止爪２５とが係合するに致り、このようにして化粧カバー２はサムターンの内端部に確りと装着される。
【００３９】
化粧カバー２をサムターンから取り外すには、化粧カバーの切欠に内側から臨むばね片の先端を例えばマイナスドライバーの先で押す。
【００４０】
すると、ばね片２４の先端が内側に移動するから、係止突部２２と係止爪２５との係合が解け、化粧カバー２をサムターン１から簡単に取り外すことができる。
【実施例２】
【００４１】
なお、本発明は図示の実施例に限定されることなく、種々に変形して実施することができる。
【００４２】
例えば、前記特許文献２に記載されているサムターンのように、サムターン摘み及びダルマ操作軸を一体に結合すると共に、これを抜け止めを施して化粧カバーに装着したサムターンにも本発明を適用することができる（図示せず）。
【図面の簡単な説明】
【００４３】
【図１】この発明の一実施例による防犯型サムターンの一部断面平面図。
【図２】この発明の一実施例による防犯型サムターンの一部断面側面図。
【図３】部品としてのサムターンの正面図。
【図４】サムターンの断面図。
【図５】着脱部の側面図。
【図６】着脱部を取り外して示す防犯サムターンの正面図。
【図７】ストッパーの正面図。
【図８】化粧カバーの正面図。
【図９】化粧カバーの断面図。
【図１０】化粧カバーの裏面図。
【図１１】化粧カバーの一部断面側面図。
【図１２】部品としてのサムターンの裏面図。
【図１３】図１２のＸＩＩＩ−ＸＩＩＩ線による断面図。
【図１４】図１３のＡ部の拡大断面図。
【図１５】防犯サムターンの正面図。
【符号の説明】
【００４４】
１  サムターン
２  カバー
３  取付ねじ
４  扉
６  状箱
７  支持孔
８  ダルマ操作軸
１０  押え板
１１  着脱部
１２  摘み
１３  連結軸
１４  突条
１５  連結孔
１６  ストッパー
１７  ばね片
１８  係止孔
１９  ストッパ凹部
２１  逃げ切欠
２２  係合突部
２３  切欠
２４  ばね片
２５  係止爪
２６  傾斜面
【図１】
0005245184.tif 000002
【図２】
0005245184.tif 000003
【図３】
0005245184.tif 000004
【図４】
0005245184.tif 000005
【図５】
0005245184.tif 000006
【図６】
0005245184.tif 000007
【図７】
0005245184.tif 000008
【図８】
0005245184.tif 000009
【図９】
0005245184.tif 000010
【図１０】
0005245184.tif 000011
【図１１】
0005245184.tif 000012
【図１２】
0005245184.tif 000013
【図１３】
0005245184.tif 000014
【図１４】
0005245184.tif 000015
【図１５】
0005245184.tif 000016